(57)【特許請求の範囲】
【請求項１】
少なくとも上面に凹凸模様が形成された電子楽器の鍵において、
前記凹凸模様を、前記鍵の長手方向に延びる凹部からなる線状部と、前記鍵の長手方向に延びる凸部からなる線状部との少なくとも一方を含む複数の線状部で構成し、所定の線状部どうしが交差するようにしたことを特徴とする電子楽器の鍵。
【請求項２】
前記所定の線状部は、１０度以内の交差角度で交差するようにしたことを特徴とする請求項１に記載の電子楽器の鍵。
【請求項３】
前記複数の線状部がそれぞれ線幅や凹凸高さの異なる部分を含むことを特徴とする請求項１または２に記載の電子楽器の鍵。
【発明の詳細な説明】
【技術分野】
【０００１】
本発明は、表面に凹凸模様が形成された電子楽器の鍵に関する。
【背景技術】
【０００２】
従来から、電子楽器が備える鍵の中には、美観の向上を図るために、象牙模様や木目模様等の凹凸模様を視認可能にしたものがある（例えば、特許文献１参照）。この鍵は、白鍵の形をした合成樹脂製のキー本体の上に、半透明の合成樹脂部材からなるキートップ部材を接着剤層で接着固定して構成されており、キートップ部材の裏面には、複数の凹溝および突条部が一体に形成されている。これに対して、接着剤層の上面には、複数の突条部および谷部が一体に形成されている。このため、鍵の上面に照射される光の一部は、キートップ部材の内部を通過してキートップ部材と接着剤層との接触面で反射し、再びキートップ部材の内部を通過して外部に放たれる。このとき、ユーザには、キートップ部材と接着剤層とに形成される凹凸の形状に応じて縞模様、波形模様または木目模様が見える。
【先行技術文献】
【特許文献】
【０００３】
【特許文献１】特開２００９−２３７４５３号公報
【発明の概要】
【０００４】
しかしながら、前述した従来の鍵では、凹凸模様を視認可能であるが、鍵の表面が平滑面で構成されているため、触覚で凹凸を感じとることができず、視覚と触覚との間に差が出て違和感が生じる。また、前述した従来の鍵に用いられている木目模様は、複数の輪からなる年輪を表しているもので、細長い鍵に用いる凹凸模様としてふさわしいものではなかった。
【０００５】
本発明は、前述した問題に対処するためになされたもので、その目的は、視覚および触覚の双方で、凹凸やその変化を感じとることができ、かつ鍵に適した木目模様を備えた電子楽器の鍵を提供することである。なお、下記本発明の各構成要件の記載においては、本発明の理解を容易にするために、実施形態の対応箇所の符号を括弧内に記載しているが、本発明の構成要件は、実施形態の符号によって示された対応箇所の構成に限定解釈されるべきものではない。
【００１７】
前述した目的を達成するため、本発明に係る電子楽器の鍵の構成上の特徴は、少なくとも上面（６１）に凹凸模様（６２）が形成された電子楽器の鍵（６０）において、凹凸模様を、鍵の長手方向に延びる凹部からなる線状部（６２ａ）と、鍵の長手方向に延びる凸部からなる線状部との少なくとも一方を含む複数の線状部で構成し、所定の線状部どうしが交差するようにしたことにある。本発明においては、所定の線状部は、１０度以内の交差角度で交差することが好ましい。さらに、複数の線状部がそれぞれ線幅や凹凸高さの異なる部分を含むことがより好ましい。
【００１８】
本発明に係る電子楽器の鍵では、複数の線状部がそれぞれ単調に延びる線状でなく、線幅や凹凸高さの異なる部分を含む複雑な形状の線状に形成されており、その複雑な形状の線状部のうちの所定の線状部どうしが互いに１０度以内の交差角度で交差するようにしている。通常、木材においては、木目や繊維どうしが交差することはないが、本発明では、凹凸模様に変化を持たせるために、あえて複数の線状部を交差させている。さらに、各線状部を、線幅や凹凸高さの異なる部分を含む複雑な形状に形成したため、凹凸模様がより変化に富むものとなる。
【００１９】
このように線状部どうしが交差する場合でも、各線状部の交差角度を１０度以下の小さな角度にすることにより、実際の木目のように認識できる凹凸模様を得ることができる。また、この場合の凹凸模様は、やすり掛けなどで容易に形成できるため、生産効率を向上できるという利点も生じる。この場合、各線状部の交差角度は５度以下に設定することが好ましく、より好ましくは１度以下に設定することである。
【図面の簡単な説明】
【００２２】
【図１】本発明の第１実施形態に係る白鍵を示した斜視図である。
【図２】図１に示した白鍵の上面部に形成された凹凸模様を示した斜視図である。
【図３】本発明の第２実施形態に係る黒鍵を示した斜視図である。
【図４】本発明の第３実施形態に係る白鍵の上面部に形成された凹凸模様を示した部分拡大図である。
【図５】本発明の第４実施形態に係る白鍵の上面部に形成された凹凸模様を示した部分拡大図である。
【図６】本発明の第５実施形態に係る白鍵の上面部に形成された凹凸模様を示した部分拡大図である。
【図７】本発明の第６実施形態に係る白鍵の上面部に形成された凹凸模様を示した部分拡大図である。
【図８】本発明の第７実施形態に係る白鍵の一部を示した斜視図である。
【発明を実施するための形態】
【００２３】
（第１実施形態）
以下、本発明の第１実施形態に係る電子楽器の鍵を図面を用いて説明する。図１は、同実施形態に係る白鍵１０を示している。この白鍵１０は、電子楽器（図示せず）の上面における手前側（演奏者側）に黒鍵とともに複数個並べられるもので、それぞれ長手方向を前後に向けて設置される。この白鍵１０は、硬質の合成樹脂を一体成形することにより形成されており、上面部１１と、左右一対の側面部１２（一方しか図示せず）と、前面部１３とで構成されている。上面部１１の左側部の後部側には黒鍵を配置するための切り欠き凹部１１ａが形成され、上面部１１の上面後端には、前部側よりも低くなった段部１１ｂが形成されている。この段部１１ｂは、白鍵１０を電子楽器の本体に揺動可能に支持させる際に用いられる。なお、前記切り欠き凹部１１ａの位置は鍵盤における白鍵が割り当てられる位置によって異り、黒鍵に隣接しない白鍵には切り欠き凹部は設けられていない。
【００２４】
前面部１３は、上面部１１の先端縁部よりも僅かに後方部分から下方に延びる略正方形の板状部分で構成されている。左右一対の側面部１２の一方（図１の手前側に位置する側面部１２）は、Ｌ形の板状部分で構成されており、Ｌ形の長辺側の外縁部を上面部１１の右側部に沿わせ、Ｌ形の短辺側の外縁部を前面部１３の右側部に沿わせて、上面部１１と前面部１３とに一体的に組付けられている。また、他方の側面部１２は、側面視が一方の側面部１２と同じＬ形に形成されており、上縁部を上面部１１の左側部の前部側と切り欠き凹部１１ａの縁部に沿わせ、前縁部を前面部１３の左側部に沿わせた段違い状の板状部分で構成されている。
【００２５】
白鍵１０の上面部１１と一対の側面部１２との表面には、それぞれ凹凸模様１４が形成されている。この凹凸模様１４は、白鍵１０の前後方向に延びる線状凸部１４ａを左右または上下に間隔を保って複数配置することによって木目模様に形成されている。各線状凸部１４ａは、略直線状に延びたものや、湾曲して延びたもので構成されている。上面部１１に形成された凹凸模様１４は、図２に示したように構成されており、矢印ａ，ｂで示した各線状凸部１４ａ間の長さが、上面部１１の前部側部分の幅の半分以下の長さになるようにして形成されている。また、一対の側面部１２にそれぞれ形成された凹凸模様１４における各線状凸部１４ａ間の長さも、上面部１１の前部側部分の幅の半分以下の長さになるようにして各線状凸部１４ａは形成されている。
【００２６】
白鍵１０の上面部１１の前部側部分の幅は、２２．７ｍｍであり、上面部１１の後部側部分の幅は、１２．５ｍｍである。これに対して、各線状凸部１４ａにおける上面部１１および側面部１２の表面平坦部からの突出長さは、それぞれ０．０１ｍｍ〜１ｍｍ、好ましくは０．０２ｍｍ〜０．５ｍｍ、さらに好ましくは０．０５ｍｍ〜０．３ｍｍに設定され、各線状凸部１４ａにおける白鍵１０の幅方向または高さ方向の間隔は、それぞれ０．０３ｍｍ〜２２ｍｍ、好ましくは０．０５ｍｍ〜１２ｍｍ、さらに好ましくは０．０８ｍｍ〜８ｍｍに設定されている。
【００２７】
凹凸模様１４は、このように間隔を保った複数の線状凸部１４ａで構成されているため、白鍵１０を前方から見た場合には、１〜７５６本程度の線状凸部１４ａが並んで見え、これによって、白鍵１０の凹凸模様１４が実際の木材の切断面に現れる木目模様のように見える。なお、この白鍵１０を一体成形する射出成形機には、固定型と可動型とからなる金型が備わっており、金型の成形面に、凹凸模様１４に対応する凹凸模様、すなわち、凹凸模様１４と凹凸が逆になる凹凸模様が形成されている。このため、白鍵１０の成形が容易になる。
【００２８】
また、白鍵１０が備わった電子楽器を演奏する際には、まず、上面部１１に形成された凹凸模様１４が見え、押鍵操作をしたときに、隣の白鍵１０の側面部１２に形成された凹凸模様１４が見える。このため、電子楽器の美観が向上するとともに、押鍵操作の際に凹凸模様１４が変化して見えるようになり、演奏が楽しくなる。また、押鍵時に、指が上面部１１の凹凸模様１４に触れることによっても、触感に変化が生じて興趣に富むものとなる。
【００２９】
このように、本実施形態に係る白鍵１０では、上面部１１および側面部１２の表面に、複数の線状凸部１４ａからなる凹凸模様１４を形成するとともに、その凹凸模様１４を構成する線状凸部１４ａのそれぞれの間隔を、白鍵１０の上面部１１の前部側部分の幅の５０％以下の長さにしている。このため、白鍵１０を前方から見た場合には最低２本の線状凸部１４ａが見えるようになり、あたかも本物の材木で鍵を構成したかのような視覚と触覚とを得ることができる。
【００３０】
なお、本実施形態では、上面部１１および一対の側面部１２のすべてに凹凸模様１４を設けているが、これは、上面部１１および一対の側面部１２のいずれか一部に設けてもよい。例えば、側面部１２だけに凹凸模様１４を設けると、演奏をしていないときには、凹凸模様１４が形成されていない白鍵を備えた電子楽器と同じ外観をしているが、演奏時にだけに凹凸模様１４が見えるようになり、面白味が一層増すようになる。また、触覚を重視する場合には、上面部１１だけに凹凸模様１４を設けてもよい。
【００３１】
また、本実施形態では、凹凸模様１４を、複数の線状凸部１４ａで構成しているが、線状凸部１４ａに代えて、溝状の線状凹部で凹凸模様を構成してもよい。さらに、凹凸模様を線状凸部１４ａと線状凹部との双方で構成してもよい。また、複数の線状凸部１４ａはすべて曲線にしてもよいしすべて直線にしてもよい。また、各線状凸部１４ａが白鍵１０の長手方向に対して傾く方向は、図示した方向と逆方向であってもよい。さらに、白鍵１０を成形する際に、二色の樹脂材料を用いて、白鍵１０の色が部分的に異なるようにしてもよい。例えば、薄い茶色の樹脂材料とやや濃い茶色の樹脂材料とを用いると、凹凸模様１４がより一層木材の模様に近づく。さらに、この凹凸模様１４を形成する鍵は、白鍵１０でなく、黒鍵にしてもよいし、白鍵１０と黒鍵との双方にしてもよい。
【００３２】
（第２実施形態）
図３は、本発明の第２実施形態に係る黒鍵２０を示している。この黒鍵２０は、鍵本体部２１と、キートップ部２２とを備えている。鍵本体部２１は、下面が開口した細長い四角枠状に形成されており、後部側の上部には本体上面部２１ａが形成されている。キートップ部２２は、鍵本体部２１の上部が開口した前部側部分の上部に形成されており、上面部２３と、左右一対の側面部２４（一方しか図示せず）と、傾斜面からなる前面部２５と、後面部（図示せず）とを備えている。
【００３３】
このキートップ部２２の上面部２３と一対の側面部２４との表面には、それぞれ凹凸模様２６が形成され、前面部２５は平滑面で構成されている。この凹凸模様２６は、キートップ部２２の前後方向に延びる線状凸部２６ａを左右または上下に間隔を保って複数配置することによって木目模様に形成されている。各線状凸部２６ａは、略直線状に延びたものや、僅かに湾曲して延びたもので構成されている。各線状凸部２６ａは、それぞれ長さが、キートップ部２２の前後方向の長さの２０％以上の線状に形成されている。すなわち、本実施形態では、キートップ部２２が本発明に係る鍵を構成する。
【００３４】
キートップ部２２の前後方向の長さは、９５ｍｍである。これに対して、各線状凸部２６ａの長さは、それぞれ１９ｍｍ〜９５ｍｍ、好ましくは４７ｍｍ〜９５ｍｍ、さらに好ましくは６６ｍｍ〜９５ｍｍに設定されている。凹凸模様２６は、このような長さの複数の線状凸部２６ａで構成されているため、木目として認識され易くなり、あたかも本物の材木で鍵を構成したかのような視覚と触覚とを得ることができる。このキートップ部２２を備えた黒鍵２０におけるそれ以外の作用効果については、前述した第１実施形態に係る白鍵１０と同様である。
【００３５】
なお、本実施形態においても、線状凸部２６ａに代えて、溝状の線状凹部で凹凸模様を構成することができる。また、凹凸模様を線状凸部２６ａと線状凹部との双方で構成してもよい。さらに、複数の線状凸部２６ａはすべて曲線にしてもよいしすべて直線にしてもよい。また、各線状凸部２６ａがキートップ部２２に対して傾く方向は、どの方向であってもよい。また、黒鍵２０を二色の樹脂材料で成形してもよい。さらに、この凹凸模様２６を形成する鍵は、黒鍵２０でなく、白鍵にしてもよいし、黒鍵２０と白鍵との双方にしてもよい。
【００３６】
（第３実施形態）
図４は、本発明の第３実施形態に係る白鍵の上面部３１に形成された凹凸模様３２を示している。この白鍵では、上面部３１および一対の側面部（図示せず）の表面に、それぞれ凹凸模様３２が形成され、前面部の表面は平滑面で構成されている。この凹凸模様３２は、略同じ方向に向かって延びる複数の線状凸部３３を含んでいる。各線状凸部３３はそれぞれ緩やかに湾曲した曲線状に形成されており、その両端部のうちの上面部３１および側面部の前後の縁部に位置する端部以外の端部は、互いに前後方向の異なる位置に位置している。また、凹凸模様３２には、小凸部からなる入り皮模様３４や、放射状の線状凸部からなる割れ模様３５も含まれている。この白鍵のそれ以外の部分の構成については、前述した白鍵１０と同一である。
【００３７】
このように、本実施形態に係る白鍵では、天然木の表面に見える木目模様の複数の線においてその始点、終点の位置が異なっているのと同様に、各線状凸部３３の両端部が、互いに前後方向の異なる位置に位置している。このため、白鍵の上面部３１および両側面部に、より木目に近い凹凸模様３２を形成することができる。また、凹凸模様３２に、入り皮模様３４および割れ模様３５も含ませたため、木目だけでなく、通常木材に含まれる他の模様も表すことができより実際の木材に近いものとなる。入り皮や割れは、木材にとっては欠点となるものであるから木材にはない方が好ましいものであるが、製材の際に生じやすいものであり、あえて白鍵に入り皮模様３４や割れ模様３５を設けることにより、白鍵がより実際の木材に近いものとなる。この白鍵におけるそれ以外の作用効果は、前述した第１実施形態に係る白鍵１０と同様である。
【００３８】
なお、本実施形態では、線状凸部３３に代えて、溝状の線状凹部を用いてもよいし、線状凸部と線状凹部との双方を用いてもよい。同様に、入り皮模様３４を、小凹部で構成してもよいし、小凸部と小凹部との双方で構成してもよく、割れ模様３５を、放射状の線状凹部で構成してもよいし、線状凸部と線状凹部との双方で構成してもよい。また、白鍵を二色の樹脂材料で成形してもよい。さらに、この凹凸模様３２を形成する鍵は、白鍵でなく、黒鍵にしてもよいし、白鍵と黒鍵との双方にしてもよい。
【００３９】
（第４実施形態）
図５は、本発明の第４実施形態に係る白鍵の上面部４１に形成された凹凸模様４２を示している。この白鍵では、上面部４１および一対の側面部（図示せず）の表面に、それぞれ凹凸模様４２が形成され、前面部の表面は平滑面で構成されている。この凹凸模様４２は、略同じ方向に向かって延びる複数の長線状凸部４３ａと複数の短線状凸部４３ｂとを含んでいる。長線状凸部４３ａと短線状凸部４３ｂとはそれぞれ緩やかに湾曲した曲線状に形成されている。そして、長線状凸部４３ａは、後述する予め設定された長さ以上に形成され、短線状凸部４３ｂは、予め設定された長さの２０％以下の長さに形成されている。
【００４０】
予め設定された長さは、５０ｍｍであり、各長線状凸部４３ａの長さは、それぞれ５０ｍｍ〜１６０ｍｍに設定され、短線状凸部４３ｂの長さは、それぞれ０．１ｍｍ〜３２ｍｍに設定されている。また、矢印ｃで示した長線状凸部４３ａ間の上面部４１の幅方向の長さは、上面部４１の前部側部分の幅の半分以下の長さになるように設定されている。また、図示は省略するが、一対の側面部にそれぞれ形成された各長線状凸部４３ａの上下方向の間隔も、上面部４１の前部側部分の幅の半分以下の長さに設定されている。そして、各長線状凸部４３ａ間に、それぞれ１〜７５６個の短線状凸部４３ｂが配置されている。また、凹凸模様４２には、小凸部からなる入り皮模様４４や、放射状の線状凸部からなる割れ模様４５も含まれている。この白鍵のそれ以外の部分の構成については、前述した白鍵１０と同一である。
【００４１】
このように、本実施形態に係る白鍵では、長線状凸部４３ａを、予め設定した５０ｍｍ以上の長さにして、短線状凸部４３ｂを、設定した長さ１６０ｍｍの２０％の長さである３２ｍｍ以下の長さにしている。このため、凹凸模様４２の中には、長線状凸部４３ａと短線状凸部４３ｂとの間の長さの線状部がなくなり、長線状凸部４３ａと短線状凸部４３ｂとの区別が明確になる。これによって、長線状凸部４３ａが木目として認識され、短線状凸部４３ｂが繊維として認識されるようになり、木目と繊維とのコンビネーションを表現できる。さらに、長線状凸部４３ａどうしの間隔を、白鍵の上面部４１の前端部の幅の５０％以下の大きさにして、その間にそれぞれ複数の短線状凸部４３ｂを配置しているため、より木目に近い模様を形成することができる。この白鍵におけるそれ以外の作用効果は、前述した第１実施形態に係る白鍵１０と同様である。
【００４２】
なお、本実施形態でも、長線状凸部４３ａおよび短線状凸部４３ｂに代えて、長線状凹部および短線状凹部を用いてもよいし、長線状凸部と長線状凹部および短線状凸部と短線状凹部との双方を用いてもよい。同様に、入り皮模様４４を、小凹部で構成してもよいし、小凸部と小凹部との双方で構成してもよく、割れ模様４５を、放射状の線状凹部で構成してもよいし、線状凸部と線状凹部との双方で構成してもよい。また、白鍵を二色の樹脂材料で成形してもよい。さらに、この凹凸模様４２を形成する鍵は、白鍵でなく、黒鍵にしてもよいし、白鍵と黒鍵との双方にしてもよい。
【００４３】
（第５実施形態）
図６は、本発明の第５実施形態に係る白鍵の上面部５１に形成された凹凸模様５２を示している。この白鍵では、上面部５１および一対の側面部（図示せず）の表面に、それぞれ凹凸模様５２が形成され、前面部の表面は平滑面で構成されている。この凹凸模様５２は、それぞれ左右に湾曲しながら前後方向に延びる複数の線状凸部５３ａと複数の線状凸部５３ｂとで構成されており、複数の線状凸部５３ａと複数の線状凸部５３ｂとはそれぞれ互いに交差することなく延びている。そして、線状凸部５３ａは、線状凸部５３ｂよりも線幅が大きく長さも長くされている。
【００４４】
線状凸部５３ａの長さは、それぞれ１００ｍｍ〜１６０ｍｍに設定され、線状凸部５３ｂの長さは、それぞれ０．１ｍｍ〜１００ｍｍに設定されている。また、線状凸部５３ａの線幅は、それぞれ０．０３ｍｍ〜０．５ｍｍに設定され、線状凸部５３ｂの線幅は、それぞれ０．０３ｍｍ〜０．５ｍｍに設定されている。この白鍵のそれ以外の部分の構成については、前述した白鍵１０と同一である。
【００４５】
このように、本実施形態に係る白鍵では、凹凸模様５２が、それぞれ長さや線幅が異なる複数の線状凸部５３ａと複数の線状凸部５３ｂとで構成されており、線状凸部５３ａと線状凸部５３ｂとはそれぞれ互いに交差することなく延びている。通常、木材においては、木目や繊維どうしが交差することはないため、複数の線状凸部５３ａと複数の線状凸部５３ｂとが交差しないようにすることにより、実際の木目に忠実な木質感を表現できる凹凸模様５２を得ることができる。
【００４６】
なお、本実施形態では、線状凸部５３ａ，５３ｂに代えて、２種類の線状凹部で凹凸模様を構成してもよいし、線状凸部と線状凹部との双方で凹凸模様を構成してもよい。また、線状凸部５３ａと線状凸部５３ｂでなく、同程度の長さや線幅を備えた線状凸部や線状凹部で凹凸模様を構成してもよい。さらに、凹凸模様５２は、上面部５１と側面部との双方でなく、一方だけに設けてもよい。さらに、白鍵を二色の樹脂材料で成形してもよい。また、この凹凸模様５２を形成する鍵は、白鍵でなく、黒鍵にしてもよいし、白鍵と黒鍵との双方にしてもよい。
【００４７】
（第６実施形態）
図７は、本発明の第６実施形態に係る白鍵６０の上面部６１に形成された凹凸模様６２を示している。この白鍵６０では、上面部６１の表面に、凹凸模様６２が形成され、両側面部および前面部の表面は平滑面で構成されている。この凹凸模様６２は、互いに交差しながら前後方向に延びる複数の線状凹部６２ａで構成されている。各線状凹部６２ａはそれぞれ線幅ｅや深さｆを変えながら緩やかに湾曲して延びる曲線状に形成されている。そして、線状凹部６２ａどうしが交わる部分の前部および後部の角度ｄは、１０度以内になるように設定されている。各線状凹部６２ａの線幅ｅは、それぞれ０．０３ｍｍ〜０．５ｍｍに設定され、各線状凹部６２ａにおける上面部５１の平坦面からの深さｆは、それぞれ０．０１ｍｍ〜１ｍｍに設定されている。この白鍵のそれ以外の部分の構成については、前述した白鍵１０と同一である。
【００４８】
このように、本実施形態に係る白鍵６０では、各線状凹部６２ａがそれぞれ単調に延びる線状でなく、各部分によって線幅ｅや深さｆの異なる複雑な形状の線状に形成されており、その複雑な形状の線状凹部６２ａどうしが１０度以内の角度で交差するようにしている。このため、凹凸模様６２がより変化に富むものとなる。また、線状凹部６２ａどうしの交差角度ｄを１０度以下の小さな角度にすることにより、実際の木目のように認識できる凹凸模様６２を得ることができる。また、この場合の凹凸模様６２は、やすり掛けなどの単純な加工でランダムに形成できるため、容易に形成でき生産効率を向上できるという利点も生じる。
【００４９】
なお、本実施形態では、線状凹部６２ａに代えて、線状凸部で凹凸模様を構成してもよいし、線状凹部と線状凸部との双方で凹凸模様を構成してもよい。また、凹凸模様６２は、上面部６１でなく、側面部に設けてもよいし、上面部６１と側面部との双方に設けてもよい。さらに、白鍵６０を二色の樹脂材料で成形してもよい。また、この凹凸模様６２を形成する鍵は、白鍵でなく、黒鍵にしてもよいし、白鍵と黒鍵との双方にしてもよい。
【００５０】
（第７実施形態）
図８は、本発明の第７実施形態に係る白鍵７０の上面部７１および両側面部７２（一方しか図示せず）に形成された凹凸模様７４を示している。この白鍵７０では、前面部７３の表面は平滑面で構成されている。凹凸模様７４は、前後方向に延びる複数の線状凸部７４ａで構成されている。各線状凸部７４ａはそれぞれ長さが短く線幅の小さな曲線状に形成されており、これによって上面部７１および側面部７２の表面は粗面に形成されている。そして、上面部７１と側面部７２との凹凸模様７４は、それぞれ矢印ｇで示した白鍵７０の長手方向に沿った表面粗さの方が、矢印ｈで示した白鍵７０の短手方向に沿った表面粗さよりも小さくなるようにして形成されている。
【００５１】
この場合の表面粗さは、実際に測定した測定値ではなく、手の感触で比較したものである。複数の線状凸部７４ａが白鍵７０の前後方向に延びているため、白鍵７０の長手方向に沿った凹凸は滑らかに変化するのに対し、白鍵７０の短手方向に沿った凹凸は急激に変化する。このため、白鍵７０の長手方向に沿った表面粗さの方が、短手方向に沿った表面粗さよりも小さくなる。すなわち、白鍵７０の幅方向の長さ程度の一定の長さの範囲においては白鍵７０の長手方向に沿った表面粗さの方が、短手方向に沿った表面粗さよりも小さくなる。この白鍵のそれ以外の部分の構成については、前述した白鍵１０と同一である。
【００５２】
このように、本実施形態に係る白鍵７０では、凹凸模様７４における白鍵７０の長手方向に沿った表面粗さを、短手方向に沿った表面粗さよりも小さくすることにより、白鍵７０を触ったときの感触がより実際の木材を触ったときの感触に近いものになる。この触覚によって、木製のイメージがより濃くなる。なお、本実施形態では、線状凸部７４ａに代えて、線状凹部で凹凸模様を構成してもよいし、線状凸部と線状凹部との双方で凹凸模様を構成してもよい。また、凹凸模様７４は、側面部７２には設けず、上面部７１だけに設けてもよい。さらに、白鍵７０を二色の樹脂材料で成形してもよい。また、この凹凸模様７４を形成する鍵は、白鍵でなく、黒鍵にしてもよいし、白鍵と黒鍵との双方にしてもよい。
【００５３】
なお、前述した実施形態においは、白鍵１０の上面後端に、段部１１ｂが形成されているが、この段部１１ｂを設けずに、白鍵１０の上面は前端から後端にかけて連続した平面に形成してもよい。また、白鍵１０の前面部１３は、上面部１１の先端縁部よりも後方部分から下方に延びて上面部１１の先端縁部が前面部１３よりも前方に突出しているが、この突出した部分は除去してもよい。さらに、前述した各実施形態は、適宜組み合わせて実施することができる。また、上面部や側面部の一つの面の中に傾斜角度や形状等が異なる複数の領域があり、その領域間に境界部分が線状になって表れている場合には、その境界部分も線模様に含まれるものとする。
【符号の説明】
【００５４】
１０，６０，７０…白鍵、１１，２３，３１，４１，５１，６１，７１…上面部、１２，２４，７２…側面部、１４，２６，３２，４２，５２，６２，７４…凹凸模様、１４ａ，２６ａ，３３，５３ａ，５３ｂ，７４ａ…線状凸部、２２…キートップ部、４３ａ…長線状凸部、４３ｂ…短線状凸部、６２ａ…線状凹部。
【図１】
0005652102.tif 000002
【図２】
0005652102.tif 000003
【図３】
0005652102.tif 000004
【図４】
0005652102.tif 000005
【図５】
0005652102.tif 000006
【図６】
0005652102.tif 000007
【図７】
0005652102.tif 000008
【図８】
0005652102.tif 000009